【手続補正書】
【提出日】令和3年8月17日(2021.8.17)
【手続補正１】
【補正対象書類名】特許請求の範囲
【補正対象項目名】全文
【補正方法】変更
【補正の内容】
【特許請求の範囲】
【請求項１】
設計されるビルディングについてのエンベロープ（ＢＥ）を計算するためのコンピュータ実施方法であって、前記方法は、
−  前記ビルディングの初期体積（ＩＶ）を定義するステップと、
−  前記ビルディングの近隣領域（ＰＲ）の境界（ＰＲＢ）の複数の点（Ｐ１、Ｐ２、Ｐ３）のうちの各１つについて、切断面（ＣＳ）を計算し、前記切断面を超えて延在する部分を切り取ることによって前記初期体積を変更するステップと
を含み、
各切断面は、それを超えて延在するそれの部分を切り取ることによって変更された前記初期体積が、前記境界の対応する点の上に、それの持続時間が事前決定された値に等しい影（ＳＷ）を投影するような方法で定義され、
前記エンベロープは、残りの体積の境界面によって定義される
方法。
【請求項２】
ａ）入力として、
−  前記ビルディングの緯度、
−  前記ビルディングの地面輪郭（ＧＣ）、
−  前記ビルディングの近隣領域（ＰＲ）の境界（ＰＲＢ）、および
−  前記ビルディングからの前記近隣領域の日陰（ＳＷ）の最大許容時間
を受け取るステップと、
ｂ）前記ビルディングの前記地面輪郭を垂直に押し出すことによって、前記初期体積（ＩＶ）を計算するステップと、
ｃ）前記ビルディングの前記地面輪郭に面する前記近隣領域の前記境界の部分（ＲＳＢ）の複数の点（Ｐ１、Ｐ２、Ｐ３）のうちの各１つについて、
−  前記点を通過する垂直エッジ（ＤＡＥ）を有する二面角（ＤＡ）を形成する２つの垂直平面（ＶＰ１、ＶＰ２）であって、前記平面は、地面上への前記ビルディングの最高点の投影を構成する事前定義された地面点（ＴＰ）の両側に対称的に配置される、２つの垂直平面、および
−  前記点（Ｐ１）をそれの頂点として、および事前定義された日付の前記ビルディングの前記緯度における太陽軌道（ＳＰ）をそれの底辺として有する円錐面（ＣＯＳ）であって、前記円錐面は、前記二面角によって形成されるギャップによって中断される、円錐面
によって定義される前記切断面（ＣＳ）を計算するステップであって、
前記二面角は、太陽（Ｓ）が、日陰の前記最大許容時間に等しい時間において、前記ギャップを運行するような大きさを有し、前記初期体積の切り取る部分は、前記切断面を超えて延在している、ステップと、
ｄ）前記切り取りの後に残った体積の境界面を決定するステップであって、前記境界面は、設計される前記ビルディングのエンベロープ（ＢＥ）を構成する、ステップと
を含む請求項１に記載の方法。
【請求項３】
前記事前定義された日付は、冬至である請求項２に記載の方法。
【請求項４】
ステップａ）は、前記事前定義された日付を、入力として受け取るステップをさらに含む請求項２に記載の方法。
【請求項５】
ステップａ）は、前記地面上への前記ビルディングの最高点の前記投影を構成する前記事前定義された点（ＴＰ）の位置を、入力として受け取るステップをさらに含む請求項２乃至４のいずれか一項に記載の方法。
【請求項６】
ステップｂ）からｄ）は、前記地面上への前記ビルディングの最高点の前記投影を構成する前記事前定義された点の異なる位置について、複数回、繰り返されて、設計される前記ビルディングの対応する複数のエンベロープを生成し、前記方法は、最も大きい体積を定義する前記エンベロープを選択するステップをさらに含む請求項２乃至４のいずれか一項に記載の方法。
【請求項７】
設計される前記ビルディングのエンベロープを構成する前記面を平滑化するステップｅ）をさらに含む請求項２乃至６のいずれか一項に記載の方法。
【請求項８】
前記近隣領域の前記境界は、前記近隣領域の平面表現を区切る輪郭線である請求項１乃至７のいずれか一項に記載の方法。
【請求項９】
コンピュータシステムに請求項１乃至８のいずれか一項に記載の方法を実施させるコンピュータ実行可能命令を含む、不揮発性コンピュータ可読データ記憶媒体（Ｍ１〜Ｍ４）上に記憶された、コンピュータプログラム。
【請求項１０】
コンピュータシステムに請求項１乃至８のいずれか一項に記載の方法を実施させるコンピュータ実行可能命令（ＥＸＰ）を含む、非一時的コンピュータ可読データ記憶媒体（Ｍ１〜Ｍ４）。
【請求項１１】
メモリ（Ｍ１〜Ｍ４）およびグラフィカルユーザインターフェース（ＫＢ、ＰＤ、ＤＣ、ＤＹ）に結合されたプロセッサ（Ｐ）を備えるコンピュータシステムであって、前記メモリは、前記コンピュータシステムに請求項１乃至８のいずれか一項に記載の方法を実施させるコンピュータ実行可能命令（ＥＸＰ）を記憶する、コンピュータシステム。
【手続補正２】
【補正対象書類名】明細書
【補正対象項目名】００１０
【補正方法】変更
【補正の内容】
【００１０】
本発明の特定の実施形態によれば、
−  前記事前定義された日付は、冬至であることができる。あるいは、ステップａ）は、前記事前定義された日付を、入力として受け取るステップをさらに含むことができる。  −  ステップａ）は、地面上へのビルディングの最高点の投影を構成する前記事前定義された点の位置を、入力として受け取るステップをさらに含むことができる。 
−  ステップｂ）からｄ）は、地面上へのビルディングの最高点の投影を構成する前記事前定義された点の異なる位置について、複数回、繰り返されて、設計されるビルディングの対応する複数のエンベロープを生成することができ、方法は、最も大きい体積を定義するエンベロープを選択するステップをさらに含む。 
−  方法は、設計されるビルディングのエンベロープを構成する前記面を平滑化するステップｅ）をさらに含むことができる。 
−  近隣領域の前記境界は、近隣領域の平面表現を区切る輪郭線であることができる。
【手続補正３】
【補正対象書類名】明細書
【補正対象項目名】００１６
【補正方法】変更
【補正の内容】
【００１６】
日陰の持続時間は、ビルディングＢの近傍の地面の領域をサンプリングした複数の点に対して、容易に計算されることができる。これは、図２に示されるもののような、日陰時間マップをもたらし、ここで、Ｚ０、Ｚ１、Ｚ２、Ｚ３、およびＺ４は、異なる日陰時間範囲によって特徴付けられるゾーンである。例えば、ゾーンＺ４の内側においては、日陰時間は、４時間を超え、ゾーンＺ３内においては、それは、３から４時間の間で構成され、ゾーンＺ２内においては、２から３時間の間で構成され、ゾーンＺ１内においては、１時間から２時間の間で構成され、ゾーンＺ１の外側においては、それは、１時間よりも小さい。厳密に言えば、日陰時間マップは、特定の日付に対してだけ有効である。ほとんどの場合、この日付は、冬至（北半球においては１２月２１日頃、南半球においては６月２１日頃）であり、それは、最も長い日陰時間に対応する。
【手続補正４】
【補正対象書類名】明細書
【補正対象項目名】００３２
【補正方法】変更
【補正の内容】
【００３２】
本発明の方法は、保護されたゾーンＰＲが２次元であり、それの境界ＰＲＢが線であることを仮定して、説明された。２次元の境界によって区切られた３次元の「保護された体積」のケースへの一般化は、簡単である。
【手続補正５】
【補正対象書類名】明細書
【補正対象項目名】００５１
【補正方法】変更
【補正の内容】
【００５１】
図１２においては、実行可能プログラムＥＸＰは、地面のトポロジカルマップまたは３次元モデルと一緒に、サーバＳＣに接続されたメモリデバイス上に記憶される。メモリデバイス、およびサーバの全体的なアーキテクチャは、ディスプレイコントローラ、ディスプレイ、キーボード、および／またはポインティングデバイスが、サーバにはなくてよいことを除いて、図１１を参照して上で説明されたものと同じであってよい。
【手続補正６】
【補正対象書類名】図面
【補正対象項目名】図１１
【補正方法】変更
【補正の内容】
【図１１】
2019046470.tif 000001